(57)【特許請求の範囲】
【請求項１】
吐出装置とワークとを相対移動しながら、基板とその上に載置されたワークとの間隙に毛細管現象を利用して吐出装置から吐出した液体材料を充填する液体材料の塗布方法であって、
前記吐出装置が、パルス信号で駆動される吐出装置であり、
連続した複数の塗布領域からなる塗布パターン作成工程と、
一の吐出パルスに複数の休止パルスを所定の比率で組み合わせたサイクルを複数作成し、各塗布領域に割り当てるサイクル割当工程と、
各塗布領域について割り当てられたサイクルで塗布を実施する塗布工程と、
予め設定した補正周期で、補正周期の時点における吐出装置からの吐出量を計測し、吐出量の補正量を算出する補正量算出工程と、
前記補正量算出工程で算出した補正量に基づき、１以上のサイクルについて、一の吐出パルスに対する休止パルスの比率を調整する吐出量調整工程と、
を含み、休止パルスの長さを吐出パルスの長さの２０分の１以下に設定したことを特徴とする液体材料の塗布方法。
【請求項２】
前記サイクル割当工程において、各サイクルに同じ長さの吐出パルスおよび同じ長さの休止パルスを割り当てることを特徴とする請求項１記載の液体材料の塗布方法。
【請求項３】
前記吐出量調整工程において、吐出パルスおよび休止パルスの長さを変えないことを特徴とする請求項１または２記載の液体材料の塗布方法。
【請求項４】
前記吐出量調整工程において、塗布パターンの全長および各塗布領域の長さを変えないことを特徴とする請求項１ないし３のいずれかに記載の液体材料の塗布方法。
【請求項５】
前記吐出量調整工程において、吐出装置とワークとの相対移動速度を変えることなく吐出量の補正を行うことを特徴とする請求項１ないし４のいずれかに記載の液体材料の塗布方法。
【請求項６】
前記補正量算出工程以前の工程において、補正を行うかを判断する許容範囲を設定し、許容範囲を越える場合に補正を実行することを特徴とする請求項１ないし５のいずれかに記載の液体材料の塗布方法。
【請求項７】
前記補正周期は、ユーザーが補正周期として入力した時間情報、ワークの枚数、または基板の枚数に基づき設定されることを特徴とする請求項１ないし６のいずれかに記載の液体材料の塗布方法。
【請求項８】
前記吐出量調整工程において、複数サイクルについて、一の吐出パルスに対する休止パルスの比率を調整することを特徴とする請求項１ないし７のいずれかに記載の液体材料の塗布方法。
【請求項９】
液体材料を供給する液材供給部と、液体材料を吐出する吐出口を有し、パルス信号で駆動される吐出装置と、吐出口より吐出された液体材料の量を計量する計量部と、吐出口とワークとを相対移動させる駆動機構と、これらの作動を制御する制御部とを備える塗布装置において、制御部に請求項１ないし８のいずれかに記載の塗布方法を実施させることを特徴とする塗布装置。
【請求項１０】
液体材料を供給する液材供給部と、液体材料を吐出する吐出口を有し、パルス信号で駆動される吐出装置と、吐出口より吐出された液体材料の量を計量する計量部と、吐出口とワークとを相対移動させる駆動機構と、これらの作動を制御する制御部とを備える塗布装置において、制御部に請求項１ないし８のいずれかに記載の塗布方法を実施させるプログラム。
【発明の詳細な説明】
【技術分野】
【０００１】
基板とその上に載置されたワークとの間隙に毛細管現象を利用して吐出装置から吐出した液体材料を充填する液体材料の塗布方法、塗布装置およびプログラムに関し、特に、半導体パッケージングのアンダーフィル工程において、吐出装置の移動速度を変更することなく、吐出量の変化を補正し、かつ、塗布形状を安定させることができる方法、装置およびプログラムに関する。
なお、本明細書で「吐出量」とは一の吐出でノズルから排出される液体材料の量を意味し、「塗布量」とは複数の吐出が行われる一定の範囲（例えば塗布パターンや塗布領域）で必要とされる液体材料の量を意味する。
【背景技術】
【０００２】
半導体チップの実装技術の一つにフリップチップ方式と呼ばれる技術がある。フリップチップ方式では半導体チップ３０の表面に突起状電極（バンプ）３１を形成し、これを基板２９上の電極パッド３２に対して直接接続する。
フリップチップパッケージでは、半導体チップ３０と基板２９との熱膨張係数の差により発生する応力が、接続部３３に集中して接続部３３が破壊することを防ぐために、半導体チップ３０と基板２９との隙間に樹脂を充填して接続部３３を補強する。この工程をアンダーフィルと呼ぶ（図７参照）。
アンダーフィル工程は、半導体チップ３０の外周に沿って液状樹脂３４を塗布し、毛細管現象を利用して樹脂３４を半導体チップ３０と基板２９との隙間に充填した後、オーブンなどで加熱して樹脂３４を硬化させることにより行う。
【０００３】
アンダーフィル工程においては、時間経過に伴う樹脂材料の粘度変化を考慮する必要がある。粘度が高くなると、材料吐出口からの吐出量が減少し、また、毛細管現象が不十分になって、適正量の材料が隙間に充填されなくなってしまうという問題があるからである。粘度変化の激しいものでは、例えば、６時間経過後、吐出量にして１０％以上減ることもある。そこで、粘度の経時的変化に伴う吐出量の変化を補正する必要があった。
ところで、アンダーフィル工程に用いる樹脂材料の充填には、一般にディスペンサが用いられている。そのディスペンサの一種に、ノズルから液体材料の小滴を噴射して吐出するジェット式ディスペンサがある。
【０００４】
ジェット式ディスペンサを用いてアンダーフィル工程を実施する方法は、例えば、特開２００４−３４４８８３号（特許文献１）に開示される。すなわち、特許文献１には、ジェット式ディスペンサを用いて基板上に粘性材料を吐出する方法であって、吐出すべき粘性材料の総体積および総体積の粘性材料が吐出される長さを準備すること、重量計上に複数の粘性材料液滴を塗布するよう動作させること、重量計上に塗布された複数の粘性材料液滴の重量を表すフィードバック信号を生成すること、総体積の粘性材料が長さにわたって吐出されるように、ディスペンサと基板との間の最大相対速度を求めること、を含む方法が開示されている。
また、特許文献１には、複数の液体材料液滴のそれぞれの体積を求めること、総体積にほぼ等しくなるのに必要とされる液滴の全数を求めること、長さにわたって粘性材料液滴をほぼ均一に分配するのに必要とされる各液滴間距離を求めること、および最大相対速度で長さにわたって総体積の粘性材料を吐出するために粘性材料液滴がディスペンサから吐出されるレート値を求めること、をさらに含む方法であるとしている。
【０００５】
それから、アンダーフィルを行うと、半導体チップ３０の側面と基板２９とが形成する角部に液状樹脂３４によって満たされる隅肉部分３５ができる。この隅肉部分３５をフィレットという（図８参照）。フィレット３５が均一に形成されていないと、フィレット３５が小さい箇所から空気が進入して気泡巻き込みの原因となったり、塗布対象チップ３０の周辺の塗布禁止領域まで樹脂３４がはみ出してしまったり、加熱硬化時の半導体チップ３４の破損の原因になったり、といった不都合がある。そのため、フィレット３５は一定の幅３６と高さ３７で均一に形成される必要がある。
フィレット３５が均一に形成されない原因として、バンプ３１の配置の疎密による浸透度合いの違いが挙げられる。一般に、バンプ３１の配置が密な箇所は液状樹脂３４の浸透が速く、バンプ３１の配置が疎な箇所は液状樹脂３４の浸透が遅い。そのため、一定量の塗布を行うと、上述のような浸透度合いの違いにより、不均一な幅３６や高さ３７のフィレット３５が形成され、フィレット３５の形状の乱れが発生することになる。
フィレット３５が均一に形成されないもう一つの原因として、塗布動作中の速度変化が挙げられる。Ｌ字やＵ字など移動方向が変わる軌跡で塗布を行う場合、角部（方向転換部）では方向転換のために減速しなくてはならない。また、動き始めや動き終わりにも同様に減速する必要がある。これは、機械として避けられないことである。そのため、一定量の塗布をしていると、角部や始終点部での塗布量が増え、フィレット３５の形状の乱れが発生することとなる。
【０００６】
その他に、アンダーフィル工程において液体材料を塗布する技術として例えば次に挙げる技術がある。
特許文献２には、所望の塗布パターンを作成し、ノズルとワークとを相対移動しながら液体材料をノズルから吐出し、ワークに対し規定した塗布量の液体材料を塗布する方法において、吐出パルスまたは休止パルスを送信する回数を総パルス数として規定し、そのうち塗布量を達成するために必要な吐出パルス数を規定し、残りを休止パルス数として規定する工程、予め設定した補正周期で、補正周期の時点におけるノズルからの吐出量を計測し、吐出量の補正量を算出する工程、および、算出した補正量に基づき吐出パルス数と休止パルス数を調整する工程、とを含む塗布方法、が開示されている。
【０００７】
特許文献３には、基板とその上に載置されたワークとの間隙に毛細管現象を利用して吐出装置から吐出した液体材料を充填する方法であって、連続した複数の塗布領域からなる塗布パターンを作成する工程と、各塗布領域に、吐出パルス数と休止パルス数とを所定の比率で組み合わせた吐出サイクルを複数割り当てる工程と、予め設定した補正周期で、補正周期の時点における吐出装置からの吐出量を計測し、吐出量の補正量を算出する工程と、を含み、さらに、算出した補正量に基づき、塗布パターンに含まれる吐出パルスと休止パルスの数を調整する工程、および／または、少なくとも一の塗布領域と当該塗布領域と連続する他の一または二の塗布領域の長さを各塗布領域における単位時間当たりの吐出量を変えることなく調整する工程、からなる工程と、を含む液体材料の充填方法、が開示されている。
【先行技術文献】
【特許文献】
【０００８】
【特許文献１】特開２００４−３４４８８３号公報
【特許文献２】特開２００９−１９００１２号公報
【特許文献３】国際公開第２０１０／１４７０５２号パンフレット
【発明の概要】
【発明が解決しようとする課題】
【０００９】
特許文献１では、長さにわたって均一に吐出するために液滴の数や各液滴の間隔を求める手順が必要であり、この手順内では様々なパラメータを計算によって求めるため、その計算時に誤差が多く生じるという課題がある。また、均一化を図るためには、一つ一つの液滴の大きさを揃える必要があり、このために特別の手段が必要となるという課題がある。
また、特許文献１ではノズルとワークの相対速度を可変とすることを前提に長さにわたって均一に吐出するための最大相対速度を求めている。しかし、相対速度が変わると、処理時間が変わり、時間当たりの処理数が一定しないという課題が生ずる。さらには、最大相対速度を求めて、一つの塗布パターンの中で液滴を均一に分配する手法では、バンプの配置やチップの角部へ対応させた塗布を行うことが困難であり、フィレット形状が乱れるおそれがあった。
【００１０】
特許文献２は、吐出パルスと休止パルスの組み合わせにより塗布量を制御するものであるが、補正を実行して吐出パルス数と休止パルス数の割合を変更した場合に、塗布パターンの終点で欲するパルス種別と補正後に割り当てられたパルス種別が上手く合わないという問題が発生することがあった。例えば、塗布パターンの終点で吐出パルスが設定されるべき場合に、補正により休止パルスが設定されると吐出量に若干のずれが生じることになる。
【００１１】
特許文献３では、パルス数を調整することによる特許文献２と同様の課題に加え、塗布領域の長さを調整することによる課題があった。すなわち、塗布領域の長さを変えると塗布形状が変わることの条件変化により、液体材料が余ったり足りなくなったりしてしまい、均一にフィレットが形成されない場合があった。
【００１２】
そこで本発明は、上記課題を解決し、吐出量の変化を高精度に補正し、塗布形状ないしフィレット形状を安定させることができる塗布方法、塗布装置およびプログラムを提供することを目的とする。
【課題を解決するための手段】
【００１３】
発明者は、上記課題を解決するにあたり、吐出パルスと休止パルスを用いた塗布方法において、休止パルスの長さと吐出量の補正の精度に相関があることを見いだし、本発明をなした。
【００１４】
すなわち、第１の発明は、吐出装置とワークとを相対移動しながら、基板とその上に載置されたワークとの間隙に毛細管現象を利用して吐出装置から吐出した液体材料を充填する液体材料の塗布方法であって、前記吐出装置が、パルス信号で駆動される吐出装置であり、連続した複数の塗布領域からなる塗布パターン作成工程と、一の吐出パルスに複数の休止パルスを所定の比率で組み合わせたサイクルを複数作成し、各塗布領域に割り当てるサイクル割当工程と、各塗布領域について割り当てられたサイクルで塗布を実施する塗布工程と、予め設定した補正周期で、補正周期の時点における吐出装置からの吐出量を計測し、吐出量の補正量を算出する補正量算出工程と、前記補正量算出工程で算出した補正量に基づき、１以上のサイクルについて、一の吐出パルスに対する休止パルスの比率を調整する吐出量調整工程と、を含み、休止パルスの長さを吐出パルスの長さの２０分の１以下に設定したことを特徴とする液体材料の塗布方法である。
第２の発明は、第１の発明において、前記サイクル割当工程において、各サイクルに同じ長さの吐出パルスおよび同じ長さの休止パルスを割り当てることを特徴とする。
第３の発明は、第１または２の発明において、前記吐出量調整工程において、吐出パルスおよび休止パルスの長さを変えないことを特徴とする。
第４の発明は、第１ないし３のいずれかの発明において、前記吐出量調整工程において、塗布パターンの全長および各塗布領域の長さを変えないことを特徴とする。
第５の発明は、第１ないし４のいずれかの発明において、前記吐出量調整工程において、吐出装置とワークとの相対移動速度を変えることなく吐出量の補正を行うことを特徴とする。
第６の発明は、第１ないし５のいずれかの発明において、前記補正量算出工程以前の工程において、補正を行うかを判断する許容範囲を設定し、許容範囲を越える場合に補正を実行することを特徴とする。
第７の発明は、第１ないし６のいずれかの発明において、前記補正周期は、ユーザーが補正周期として入力した時間情報、ワークの枚数、または基板の枚数に基づき設定されることを特徴とする。
第８の発明は、第１ないし７のいずれかの発明において、前記吐出量調整工程において、複数サイクルについて、一の吐出パルスに対する休止パルスの比率を調整することを特徴とする。
【００１５】
第９の発明は、液体材料を供給する液材供給部と、液体材料を吐出する吐出口を有し、パルス信号で駆動される吐出装置と、吐出口より吐出された液体材料の量を計量する計量部と、吐出口とワークとを相対移動させる駆動機構と、これらの作動を制御する制御部とを備える塗布装置において、制御部に第１ないし８のいずれかに記載の発明に係る塗布方法を実施させることを特徴とする塗布装置である。
【００１６】
第１０の発明は、液体材料を供給する液材供給部と、液体材料を吐出する吐出口を有し、パルス信号で駆動される吐出装置と、吐出口より吐出された液体材料の量を計量する計量部と、吐出口とワークとを相対移動させる駆動機構と、これらの作動を制御する制御部とを備える塗布装置において、制御部に第１ないし８のいずれかに記載の発明に係る塗布方法を実施させるプログラムである。
【発明の効果】
【００１７】
本発明によれば、吐出装置とワークとの間の相対移動速度（以下、単に「相対速度」という場合がある）を変えないので、処理時間が変わらず、生産が安定して一定に行える。加えて、液体材料の間隙への浸透と吐出装置からの供給とのバランスが変わらず、一定したフィレット形状が形成できる。
また、一つの塗布パターンの中で複数のサイクルを設定でき、補正に際して相対速度やパターン長さを変えるのではなく、サイクルに含まれるパルス数を調整するので、不均一な塗布パターンでも吐出量を一定に保つことができる。言い換えると、塗布パターンの作成に関し自由度が高く、バンプの配置やチップの角部へ対応した塗布が可能である。
【００１８】
さらに、相対速度を変えず、かつサイクルを切り替える位置を変えないので、塗布形状が変わらず、塗布禁止領域や塗布対象ではない部品が近くにあっても塗布を行うことができる。
そして、休止パルスから優先的に調整を行うので、吐出パルスに与える影響が少なく、安定した吐出が行える。
【図面の簡単な説明】
【００１９】
【図１】本発明に係る塗布パターンの例を示す説明図である。
【図２】本発明に係る液体材料の吐出量調整手順を示したフローチャートである。
【図３】実施例に係るジェット式吐出装置の要部断面図である。
【図４】実施例に係る吐出装置へ発信されるパルス信号を説明する説明図である。
【図５】実施例に係る塗布装置の概略斜視図である。
【図６】実施例に係る塗布装置での塗布作業手順を示したフローチャートである。
【図７】アンダーフィル工程を説明するための側面断面図である。
【図８】フィレットを説明するための側面断面図である。
【発明を実施するための形態】
【００２０】
以下に、本発明を実施するための形態の一例を図１および図２を参照しながら説明する。図１は、本実施の形態に係る塗布パターンの例であり、図２は、本実施の形態に係る吐出量の調整手順のフローチャートである。なお、図１のチップ３０と液体材料３４との間は、説明を分かり易くするため少し間を空けて描いている。実際に塗布を行う場合は、前記の間はほとんど空けずにチップ辺のすぐ近くに塗布する。
本実施の形態で用いる吐出装置は、パルス信号を受けて弁体を駆動し、弁座に弁体を衝突させることによりノズルから液体材料を飛翔吐出するジェット式吐出装置である（具体的な構成は実施例で後述する）。この吐出装置における一の吐出は、一のパルス信号を受けることにより行う。
なお、本発明は、飛翔吐出ないし液滴状吐出させるタイプの吐出装置であれば適用することができ、ジェット式への適用に限定されない。
【００２１】
［１］単位時間当たりの吐出量の設定（ＳＴＥＰ２０１）
吐出装置から吐出される液体材料の単位時間当たりの吐出量を求める。これは予め実験で求めてもよいし、その場で計測してもよい。いずれにせよ、実際に使用する液体材料で吐出を行って計測することが好ましい。なぜなら、それぞれの液体材料の特性（粘度、密度等）により、単位時間当たりの吐出量が異なってくるからである。また、複数の吐出装置を用意して代わる代わる使用する場合、吐出装置によっていわゆる個体差が存在するので、単位時間当たりの吐出量は、それぞれの吐出装置について求めておくことが好ましい。液体材料の種類やノズル径などを変えた際も同様である。
さらに、同一吐出装置における吐出量のばらつき（偏差）を求める。このばらつきは、後述するＳＴＥＰ２０４を設定する際に考慮することがある。
【００２２】
［２］必要塗布量の設定（ＳＴＥＰ２０２）
基板とワーク（半導体チップ）との間隙を充填し、かつフィレットを形成するために必要な液体材料の量を求める。必要塗布量は、設計図面などから理論値を求めてもよいし、実際に塗布を行って求めてもよい。ただし、理論値はあくまで理想的な値であるので、正確を期すためには実際に塗布を行って求めることが好ましい。また、必要塗布量は、体積として求めてもよいし、質量として求めてもよい。その際、用いる液体材料の密度の値が必要である。
【００２３】
［３］塗布パターンの作成（ＳＴＥＰ２０３）
ワークと基板とを接続するバンプの配置、ワーク周辺の他の部品の状況などを考慮して塗布を行う辺を設定する。例えば、矩形状のワークにおいて、一辺に沿って直線状に塗布を行う、或いは隣り合う二辺に沿ってＬ字状に塗布を行う、といったことを設定する。塗布パターンが定まると、塗布総長さが求まる。ここで、「塗布長さ」とは、一のワークに塗布をする際のノズルとワークとの相対移動量の総長を意味する。
そして、バンプの配置やチップ角部の経由の有無などを考慮して、一つの塗布パターンの中で、単位時間あたりの吐出量が異なる複数の塗布領域を設定し、各塗布領域の長さをそれぞれ設定する。例えば図１では、ワーク３０の一辺に沿って、符号３８の方向へ直線状に塗布する場合において、Ｘ１〜Ｘ３の塗布領域を設定し、ワーク辺中央付近（Ｘ２の領域）の塗布量を多く、その両側（Ｘ１、Ｘ３の領域）の塗布量を少なくしている。なお図１では、説明の便宜上、塗布量の多い領域を幅の太い線で、塗布量の少ない領域を幅の細い線で描いている。このような塗布量の多寡は、後述するＳＴＥＰ２０４の吐出率を変えることにより設定する。
【００２４】
［４］吐出率の設定（ＳＴＥＰ２０４）
上記［３］で設定した塗布領域毎に異なる塗布量を実現するため、吐出パルスと休止パルスとを組み合わせる割合（比率）を各塗布領域（Ｘ１〜Ｘ３）について設定する。具体的には、一の塗布領域における全パルスのうち、吐出パルスの占める割合（以下「吐出率」と呼ぶ場合がある）が塗布領域毎に異なるように、全ての塗布領域について吐出率の設定を行う。本実施の形態では、吐出率は、塗布領域全体が吐出パルスのみで構成されるときを１００％とし、塗布領域全体が休止パルスのみで構成されるときを０％としている。一つの塗布領域内における吐出率は一定である。
吐出率は、１００％から０％まで設定可能であるが、一の塗布パターンの中で最も吐出量の多い領域（例えば図１に示すＸ２の領域）でも１００％にはせず、ＳＴＥＰ２０１で求めたばらつきや後の調整の幅を考慮して、例えば８０％のように上下に余裕を持たせて設定するとよい。そうすることで、吐出量を増やす方向にも減らす方向にも対応ができるようになる。
【００２５】
［５］パルス長さ（ＯＮ時間／ＯＦＦ時間）の設定（ＳＴＥＰ２０５）
本実施の形態で用いる吐出装置はジェット式であるので、一の吐出パルス信号を受けることにより、弁体が一の往復動作をし、一の吐出をする。パルス信号には、弁体が弁座から離れている時間であるＯＮ時間と、弁体が弁座に接している時間であるＯＦＦ時間とからなる吐出パルスと、ＯＮ時間が設定されておらずＯＦＦ時間のみからなり吐出動作を行わない休止パルスとがある。吐出パルス、休止パルスはそれぞれ一定の周波数で発信される（吐出パルスと休止パルスの周波数は異なる）。
これら吐出パルスと休止パルスのＯＮ時間とＯＦＦ時間を塗布領域毎にそれぞれ設定する。ただし、吐出パルスのＯＮ時間とＯＦＦ時間には適正範囲があり、この範囲を外れると不具合（液体材料がノズル先端に過剰に付着したり、塗布した結果である液滴が複数個に分かれて飛散したり、或いは液体材料が噴射しないなど）が発生する。適正範囲は液体材料の特性や吐出量などにより異なるが、例えばＯＮ時間は２〜１０［ｍｓｅｃ］、ＯＦＦ時間は２〜１０［ｍｓｅｃ］の範囲で設定するとよい。なお、一番よく用いられるのは、ＯＮ時間が３［ｍｓｅｃ］、ＯＦＦ時間が３［ｍｓｅｃ］である。ＯＮ時間とＯＦＦ時間は原則同じ値とする。一方、休止パルスには上記のような時間の範囲がないことは言うまでもない。
【００２６】
塗布パターンは、複数のサイクルの組み合わせから構成される。ここで、「サイクル」とは、一の吐出パルスと休止パルスとの組み合わせをいう。前述のように、各塗布領域で異なる塗布量とするため、各塗布領域で実行されるサイクルは異なる。すなわち、各塗布領域で吐出パルスと休止パルスを組み合わせる割合を異ならせる。一方、各塗布領域でそれぞれのパルス長さ（パルス周期。パルスのＯＮ時間とＯＦＦ時間を足し合わせた時間）は異ならせない。換言すると、一つの塗布パターンの中でパルス長さは変わらない。このパルス長さは、液体材料の種類が変わったり、塗布対象ワークの種類が変わったりしない限り、同一吐出装置においては一度設定すれば変えることは必要ない。
本発明では、休止パルス長さは吐出パルス長さよりも短く設定しており、好ましくは２０分の１以下とし、より好ましくは１００分の１以下とし、さらに好ましくは１０００分の１以下とする。これは、後述するように、優先的に増減を行う休止パルス長さを短くすることでより細かな調整をできるようにするためである。休止パルス長さを吐出パルス長さの１００分の１とすると吐出率を１％のオーダーまで制御でき、１０００分の１とすると吐出率を０．１％のオーダーまで制御できる。
【００２７】
［６］移動速度の設定（ＳＴＥＰ２０６）
吐出装置とワークとの相対移動速度Ｖの設定には二通りの決め方がある。一つは、目標とする生産量などから、目標とする移動速度Ｖを決めて設定する方法である。塗布作業や製品の量産などを開始すればその間は基本的に速度を変更しないので、自由に移動速度Ｖを決めてよい。もちろん、自由と言っても機械の出せる限界の移動速度というものが存在するので、その範囲内で決めることになる。
もう一つは、上記各設定値から移動速度Ｖを算出する方法である。図１を例にとると、単位時間当たりの吐出量をＡ［ｇ／ｓｅｃ］、必要塗布量をＧ０［ｇ］、塗布領域の長さをＸ［ｍｍ］とすると、移動速度Ｖ［ｍｍ／ｓｅｃ］は次のようになる。
【００２８】
［式１］
0005779353.tif 000002
【００２９】
もし、上記式１の右辺の各設定値に変更がある場合には、移動速度Ｖはその都度算出し直す。
【００３０】
［７］パルス数算出（ＳＴＥＰ２０７）
前述のＳＴＥＰ２０４で設定した各塗布領域での吐出率に基づき、各塗布領域での吐出パルスと休止パルスの数を設定する。本実施の形態では、一の吐出パルスに対する休止パルスの数を算出して基本となるサイクルとする。
まず、一の吐出パルスの長さ（ＯＮ時間とＯＦＦ時間を足し合わせた時間）をＤ、一の休止パルスの長さ（ＯＮ時間とＯＦＦ時間を足し合わせた時間）をＳとし、各塗布領域の吐出パルスの数をｎｉ、各塗布領域の休止パルスの数をｍｉとする。前述の通り、吐出率とは、一の塗布領域における全パルス数のうち、吐出パルスの占める割合であるので、吐出率Ｃｉは、次の式のようになる。
【００３１】
［式２］
0005779353.tif 000003
【００３２】
ここで、添字ｉは塗布領域の番号を表し、例えば図１では、ｉは１、２、３のいずれかとなる。
【００３３】
上式から各塗布領域の休止パルスの数ｍｉは、次の式のようになる。
【００３４】
［式３］
0005779353.tif 000004
【００３５】
これより、吐出パルスの数を１（すなわちｎｉ＝１）としたときの各塗布領域の休止パルスの数ｍｉは次のような式になる。
【００３６】
［式４］
0005779353.tif 000005
【００３７】
具体的な例を挙げると、吐出パルスのＯＮ時間を３［ｍｓｅｃ］、ＯＦＦ時間を３［ｍｓｅｃ］、また休止パルスのＯＮ時間を０．００５［ｍｓｅｃ］、ＯＦＦ時間を０．００５［ｍｓｅｃ］とし、吐出率を８０％とした場合、式４より、一の吐出パルスに対する休止パルスの数ｍは１５０個となる。同じ吐出パルス長さと休止パルス長さで、吐出率を４０％とした場合は、一の吐出パルスに対する休止パルスの数ｍは９００個となる。この具体例の場合は、算出結果が割り切れる数値（自然数）であったが、割り切れない場合は例えば四捨五入して自然数とする。
【００３８】
各塗布領域について一の吐出パルスに対する休止パルスを算出し、それと一の吐出パルスとの組み合わせを基本サイクルとする。実際の塗布作業では、この基本サイクルを塗布領域内で相対移動をしながら、時間や距離が設定値に達するまで繰り返す。図１を例にとると、塗布領域Ｘ１の左端から吐出装置が移動を開始し、塗布領域Ｘ１と塗布領域Ｘ２との接続点までは、第１の基本サイクルを繰り返して吐出を行う。塗布領域Ｘ１と塗布領域Ｘ２との接続点に達したら、吐出装置は停止せずに第２の基本サイクルへと切り替える。そして、塗布領域Ｘ２と塗布領域Ｘ３との接続点までは、第２の基本サイクルを繰り返して吐出を行う。同様にして、塗布領域２と塗布領域３との接続点に達したら、第３の基本サイクルへと切り替え、吐出を続ける。そして、塗布領域Ｘ３の右端に吐出装置が達したとき停止し、塗布作業は終了となる。塗布パターン内の塗布領域の数が増減したり、塗布パターンに角部などが含まれていたりする場合も同様の手順で実施することができる。
【００３９】
［８］補正周期の設定（ＳＴＥＰ２０８）
吐出量を補正する周期である補正周期を設定する。補正周期としては、例えば、ユーザーが入力した時間情報、チップないしは基板の枚数などを設定する。所定の時間を設定する場合は、液体材料の吐出量の変化が作業開始から許容範囲を越えると予想される時間を設定する。枚数を設定する場合には、一枚のチップを処理する時間ないしは一枚の基板を処理する時間（搬入→塗布→搬出の時間）と、上記所定の時間から処理枚数を求め、設定する。
【００４０】
補正周期の設定に際しては、塗布に用いる液体材料について、塗布パターンと必要塗布量などとの関係を予めの試験により算出し、これらの値を補正周期に反映するのが好ましい。これらのパラメータを設定することで、温度の変化により生ずる液体材料の粘度変化や吐出部のつまりおよび水頭差による影響がある場合でも、吐出量の変化に対応することが可能となる。
また、液体材料の使用時間の限界値として、メーカーの規定するポットライフに基づいて算出した値を予め記憶しておき、補正周期に組み込んでもよい。
【００４１】
補正周期設定の際は、時間経過や温度の変化により生ずる液体材料の粘度変化を考慮する必要があるが、以下では時間の経過に伴う粘度変化のみが生ずることを前提に説明を行うものとする。
なお、吐出部の温度調整により液体材料の粘度を制御する公知の技術を本発明に適用できることは言うまでもない。
【００４２】
［９］補正の実行
設定された補正周期で、液体材料の粘度変化による吐出量の変化に対応するための補正量を算出する。
補正量の算出手法としては、（Ａ）一定時間吐出した際の重量を測定し、必要重量との差に基づいて補正量を算出する手法、（Ｂ）必要重量となるまでに要する吐出時間を測定し、直前の吐出時間との差に基づいて補正量を算出する手法がある。本発明では、いずれの手法を適用してもよいが、以下では（Ａ）の手法に基づき、具体的な補正量の算出手順を説明する。
【００４３】
（ｉ）吐出量計測（ＳＴＥＰ２０９）
ノズル（すなわち吐出装置）を秤量器の上方へ移動させ、固定位置にて液体材料を吐出する。秤量器への吐出は、一定時間の間、連続して行う。この一定時間は、例えば上述の設定した塗布パターンを吐出するのに要する時間や、上述のＳＴＥＰ２０１で行う実験や計測に要する時間などとするとよい。
続いて、秤量器へ吐出された液体材料の重量Ｇ１を読み取る。この計測重量Ｇ１と必要重量Ｇ０とから変化率Ｒを算出する。変化率Ｒは次の式のようになる。
［式５］
0005779353.tif 000006
【００４４】
変化率Ｒがマイナスの場合、一定吐出時間における吐出量が必要重量より少ないことになるので、下記ＳＴＥＰ２１０で吐出量が増えるよう補正量の算出を行う。逆に変化率Ｒがプラスの場合、一定吐出時間における吐出量が必要重量より多いことになるので、下記ＳＴＥＰ２１０で吐出量が減るよう補正量の算出を行う。
なお、重量の計測は、複数回計測して平均値を求めるようにしてもよい。そうすることでより精度よく計測値を求めることができる。
【００４５】
（ｉｉ）補正量（新パルス数）算出（ＳＴＥＰ２１０）
補正量を算出するには、上記ＳＴＥＰ２０９の変化率から新たな吐出率を計算し、ＳＴＥＰ２０７の計算式に基づいて新たなパルス数を算出する。
まず、新たな吐出率から求める。上述のように変化率Ｒがマイナスの場合、吐出量が増えるよう補正量の算出を行わなければならない。すなわち、各領域の新たな吐出率をＣｉ’とすると、次のようになる。
【００４６】
［式６］
0005779353.tif 000007
【００４７】
ここで、添字ｉは塗布領域の番号を表し、例えば図１では、ｉは１、２、３のいずれかとなる（次式も同じ）。一方、変化率Ｒがプラスの場合は、吐出量が減るよう補正量の算出を行わなければならないので、各領域の新たな吐出率は、次のようになる。
【００４８】
［式７］
0005779353.tif 000008
【００４９】
次いで、上記式６または式７で求めた各領域の新たな吐出率と、前述のＳＴＥＰ２０７で示した式４に基づいて新たなパルス数を各塗布領域において算出する。
【００５０】
具体的に例を挙げて説明する。ここでは前述のＳＴＥＰ２０７と同じ数値で考えるものとする。初期設定吐出率が８０％の領域の新たな吐出率Ｃｉ’は、ある補正周期経過後に吐出量を計測した結果、必要吐出量より１０％少ないとすると（変化率Ｒがマイナス１０％とすると）、式６より８８％となる。したがって、一の吐出パルスに対する休止パルスの数は、式４より８２個となる。また、初期設定吐出率が４０％の領域の新たな吐出率Ｃｉ’は、式６より４４％となる。したがって、一の吐出パルスに対する休止パルスの数は、式４より７６４個となる。このようにして求めた新たなパルス数を組み合わせて新たなサイクルとして、塗布パターンに設定する。
このようにして、各塗布領域において、一の吐出パルスに対する休止パルスの数を増減することでより細かな調整ができるようになる。
【００５１】
（ｉｉｉ）補正の実行（ＳＴＥＰ２１１）
前述のＳＴＥＰ２０９で吐出量の補正が必要であると判定された場合には、上記ＳＴＥＰ２１０で新たな吐出率Ｃｉ’から新たなパルス数を算出し、塗布パターンの全塗布領域に対して再設定することで補正を行う。
ここで、吐出量補正の要否の判定は、重量差や変化率がゼロで無い場合には常に補正を行うようにするのではなく、計測した吐出量（計測値）の差分や変化率Ｒが許容範囲（例えば±５％）を越える場合にのみ補正を行うようにするのが好ましい。許容範囲を設けた補正の好ましい態様は、例えば、本出願人に係る特許第３８７７０３８号に詳しい。すなわち、補正を行うかを判断する許容範囲を設け、差分値ないしは変化率が前記許容する範囲を越える場合にのみ補正する。
上記ＳＴＥＰ２０９からＳＴＥＰ２１１の工程は、上記ＳＴＥＰ２０８で設定した補正周期において、或いは基板の種類（大きさや形状）が変わったときなどに実行することで、液体材料の経時的粘度変化に関わらず、常に最良の塗布量を実現することが可能となる。
【００５２】
以上に説明した本発明によれば、相対速度を変えないので、処理時間が変わらず、生産が安定して一定に行える。加えて、液体材料の間隙への浸透と吐出装置からの供給とのバランスが変わらず、一定したフィレット形状が形成できる。
また、一つの塗布パターンの中で複数のサイクルを設定でき、補正に際して相対速度やパターン長さを変えるのではなく、サイクルに含まれるパルス数を調整するので、塗布量が不均一な塗布パターンでも吐出量を一定に保つことができる。言い換えると、塗布パターンの作成に関し自由度が高く、バンプの配置やチップの角部へ対応した塗布が可能である。
さらに、相対速度を変えず、かつサイクルを切り替える位置（すなわち各塗布領域の長さ）を変えないので、塗布形状が変わらず、塗布禁止領域や塗布対象ではない部品が近くにあっても塗布を行うことができる。
そして、本発明では、補正により休止パルスの数は大きく変動するものの、吐出パルスの数の変動は小さいので、安定した吐出が行える。
【００５３】
以下では、本発明の詳細を実施例により説明するが、本発明は何ら実施例により限定されるものではない。
【実施例】
【００５４】
［吐出装置］
本実施例の吐出装置１は、図３に示すように、上下動自在に内設された弁体であるピストン２と、制御部１１を通して調圧された圧縮空気により加圧されている貯留容器３と、貯留容器３と連通するノズル４とを備えるジェット式吐出装置である。また、ピストン２を上方へ移動させるための作動気体を制御部１１を通じて給排気する切換弁６と、ピストン２を下方へ付勢するスプリング７を備える。そして、スプリング７の上部には、ピストン２の移動量を調整するためのストローク調整部材８を備える。ノズル４近傍にはノズル４とその内部にある液体材料３４を暖めるためのヒータ９を備える。さらに、ノズル４近傍にはヒータ９と対向して温度センサ１０が設けられており、ノズル４とその内部にある液体材料３４を所定の温度に保つための制御を行う際に用いられる。
【００５５】
貯留容器３に充填された液体材料３４は、制御部１１から発信されるパルス信号に応じて切換弁６を作動させ、ピストン２を上下させることにより、ノズル４から液滴状に吐出される。ノズル４から吐出された液体材料３４は、吐出装置１が基板２９と相対移動されることにより、ノズル４の下方に位置決めされた基板２９へ点状に塗布される。
より詳細には、吐出装置１は次のように動作する。吐出装置１に与えられるパルス信号は、例えば図４に示すようになっている。符号１４のように、パルス信号がＯＮとなったとき、切換弁６の作動により気体を給気し、ピストン２を上昇させてノズル入口５を開放する。続いてパルス信号がＯＦＦとなったとき、切換弁６の作動により気体を排気し、ピストン２をスプリング７の反発力により下降させてノズル入口５を閉鎖する。つまり、一の吐出パルス１４は、ピストン２を上昇（ノズル入口５の開放）させるＯＮとピストン２を下降（ノズル入口５の閉鎖）させるＯＦＦを一単位とし、この一単位の動作で一滴の液体材料３４を吐出する。図４中、Ｄが吐出パルス１４の長さである。他方、符号１５のように、パルス信号のＯＦＦ状態が続くときには、ピストン２を作動させず、一の休止パルス１５につきノズル入口５が一単位（すなわちＳの時間単位）の間閉鎖される。図４中、Ｓが休止パルス１５の長さである。
【００５６】
ワーク３０の辺に沿って塗布を行う際には、制御部１１は、塗布開始と同時にノズル４を移動させながら吐出装置１へ予め設定したパルス信号（符号１４、１５）を発信し、連続的に液体材料３４の吐出を行う。ワーク３０の一辺に沿って吐出された液体材料３４は、ワーク３０と基板２９との隙間に毛細管現象により充填されていく。
【００５７】
［塗布装置］
本実施例の塗布装置１６は、図５に示すように、吐出装置１と、ＸＹＺ駆動機構１７と、搬送機構１８と、塗布ステージ１９と、調整用基板２０およびこれを載置する調整用ステージ２１と、秤量器２２と、検出装置（タッチセンサ２３、レーザー変位計２４およびカメラ２５）と、制御部１１と、を備える。
【００５８】
吐出装置１は、上述したジェット式吐出装置であり、制御部１１からのパルス信号（符号１４、１５）を受け、液体材料３４を吐出する。
ＸＹＺ駆動機構１７には、吐出装置１と後述する検出装置の一部であるレーザー変位計２４およびカメラ２５が設置され、吐出装置１並びにレーザー変位計２４およびカメラ２５を符号２６で示すＸＹＺ方向へ移動させることができる。すなわち、制御部１１に設定した塗布パターンに基づき、基板の上方で吐出装置１を移動させたり、秤量器２２や別位置に固定されている後述する検出装置の一部であるタッチセンサ２３といった機器や、後述する調整用基板２０を載置した調整用ステージ２１まで吐出装置１並びにレーザー変位計２４およびカメラ２５を移動させることができる。
【００５９】
搬送機構１８は、塗布作業を行う前のワーク３０を載置した基板２９を装置外の符号２７で示す方向から搬入し、塗布作業を行う吐出装置１近くまで搬送を行う。そして、塗布作業を終えた基板２９を装置外の符号２８で示す方向へ搬出する。
塗布ステージ１９は、搬送機構１８ほぼ中央の搬送機構１８の間に設置される。塗布作業を行う際は、上昇して基板２９を固定する役割を果たす。基板２９の搬送時には、下降して搬送の妨げにならないようにする。
【００６０】
調整用ステージ２１は、搬送機構１８の近傍に設置される。素の基板、すなわち部品等が実装されていない基板やダミーのワークを実装した基板（これらを総称して調整用基板２０と呼ぶ）をその上に載置して、液体材料３４の吐出量の調整作業に伴う作業を行うためのものである。
秤量器２２は、吐出装置１より吐出される液体材料３４の重量を測るためのものであり、搬送機構１８の近傍に設置される。秤量器２２による計測結果は制御部１１へと伝えられる。
【００６１】
検出装置は、ノズル４の高さ位置を検出するセンサであるタッチセンサ２３、基板２９の高さ位置を検出するセンサであるレーザー変位計２４、ワーク３０の位置を検出するカメラ２５とを備える。レーザー変位計２４およびカメラ２５は、吐出装置１と共にＸＹＺ駆動機構１７に設置され、ＸＹＺ方向（符号２６）へ移動可能である。タッチセンサ２３は、調整用ステージ２１に固設される。
制御部１１は、塗布装置１６全体の動作を制御する全体制御部と、吐出装置１の動作を制御する吐出制御部とからなる。
【００６２】
［塗布作業］
上述の塗布装置１６を用いた一連の塗布作業の流れについて次に説明する。図６にそのフローチャートを示す。
前述のパルスに関するパラメータ（ＯＮ／ＯＦＦ時間や組み合わせる割合）に加え、吐出装置１の吐出量変更因子（ノズル径、ストローク量、印加圧力等）を調整して、安定して吐出が行える条件を探し、設定する（ＳＴＥＰ６０１）。この作業は、液体材料３４を実際に塗布した結果である重量や径などを測りながら行うとよい。またこのとき、液体材料３４がノズル４先端に過剰に付着していないか、塗布した結果である液滴が複数個に分かれて飛散していないかなども併せて確認するのが好ましい。
【００６３】
次いで、前述の実施の形態で説明した吐出量補正工程（ＳＴＥＰ２０９〜２１１参照）を実施する（ＳＴＥＰ６０２）。吐出量補正工程は、補正周期に達したときだけでなく、準備段階で実施することでも効果を発揮できる。補正工程終了後、本塗布を開始する前に、素の基板やダミーの基板を用いて試験塗布を行い、最終確認をする（ＳＴＥＰ６０３）。この試験塗布は、実際の部品等が実装された基板を用いることが好ましい。最終確認をして、不良があればＳＴＥＰ６０１の条件を見直し、不良がなければ本塗布作業を開始する（ＳＴＥＰ６０４）。
【００６４】
本塗布作業が開始されると、まず、基板２９が搬入され、吐出装置１近くまで搬送された後、塗布ステージ１９に固定される（ＳＴＥＰ６０５）。そして、塗布ステージ１９上の基板２９に対してカメラ２５による画像認識を行い、アライメントを実行して位置合わせを行う（ＳＴＥＰ６０６）。なお、アライメントに用いる基準となる画像は予め制御部１１へ記憶しておく。位置合わせを終えた後、塗布が行われる（ＳＴＥＰ６０７）。塗布を終えた基板２９は、塗布装置１６外へ搬出される（ＳＴＥＰ６０８）。
塗布を終えた基板２９を装置１６外へ搬出した時点で、予め設定した補正周期（ワークの数や基板の枚数）に達したかどうかを判断する（ＳＴＥＰ６０９）。補正周期に達している場合には、次ステップである補正工程へ進み、補正周期に達していない場合は、ＳＴＥＰ６１１に進む。
【００６５】
補正工程では、吐出装置１を秤量器２２上へ移動し、吐出を行い、重量を計測する。計測の結果、許容範囲を越える場合には、前述の実施の形態で説明した吐出量補正工程（ＳＴＥＰ２０９〜２１１）を実施する（ＳＴＥＰ６１０）。逆に、許容範囲を越えていない場合には、ＳＴＥＰ６１１へ進む。
補正工程を終えた後、或いは基板２９を搬出してすぐに、続けて塗布すべき未塗布の基板２９が有るかどうかを判断する（ＳＴＥＰ６１１）。未塗布の基板２９がある場合には、ＳＴＥＰ６０５へ戻り、再び基板２９を搬入して塗布作業を行う。未塗布の基板２９がない場合には、本塗布作業は終了となる。
以上が、準備段階から本塗布作業までの基本的な一連の流れである。なお、ここで示したのは一例であって当該手順に限定されるものでなく、本発明の技術思想の範囲内で種々変更することができる。
【００６６】
［パルス数算出に関する計算式］
前述の実施の形態では、一の吐出パルスに対する休止パルスの数を算出した上で、これらの組み合わせを基本サイクルとして塗布領域毎に設定した。しかし、本実施例では、塗布領域の長さにわたって所望の吐出率を実現するよう、吐出パルス数および休止パルス数を算出し、塗布する。具体的には以下のようにする。
【００６７】
まず、一の吐出パルスの長さ（ＯＮ時間とＯＦＦ時間を足し合わせた時間）をＤ、一の休止パルスの長さ（ＯＮ時間とＯＦＦ時間を足し合わせた時間）をＳとし、各領域の吐出パルスの数をｎｉ、各領域の休止パルスの数をｍｉとする。また、吐出装置とワークの相対移動速度をＶ、各塗布領域の吐出率をＣｉ、各塗布領域の長さをＸｉとする。なお、添字ｉは塗布領域の番号を表し、図１では、ｉは１、２、３のいずれかである。
時間を基準とすると、吐出装置がある塗布領域を通過するのに要する時間のうち、吐出パルスが占める割合が吐出率であるので、次のような式が成り立つ。
【００６８】
［式８］
0005779353.tif 000009
【００６９】
この式より各塗布領域の吐出パルスの数ｎｉは次のように算出できる。
【００７０】
［式９］
0005779353.tif 000010
【００７１】
一方、吐出装置が有る塗布領域を通過するのに要する時間のうち、吐出パルスが占めていない部分は、休止パルスが占める割合であるので、次のような式が成り立つ。
【００７２】
［式１０］
0005779353.tif 000011
【００７３】
この式より各塗布領域の休止パルスの数ｍｉは次のように算出できる。
【００７４】
［式１１］
0005779353.tif 000012
【００７５】
上記式９および式１１を用いて、各塗布領域での吐出パルスと休止パルスの数を算出する。そしてそれを塗布パターンに設定する。
【００７６】
具体的な例を挙げて説明する。塗布パターンを図１と同じと考え、一の吐出パルスの長さＤを６［ｍｓｅｃ］、一の休止パルスの長さＳを０．０１［ｍｓｅｃ］、移動速度Ｖを５０［ｍｍ／ｓ］とし、塗布領域Ｘ１およびＸ３の長さを５［ｍｍ］、吐出率を４０％、並びに塗布領域Ｘ２の長さを１０［ｍｍ］、吐出率を８０％とする。
塗布領域Ｘ１およびＸ３の吐出パルスの数は、式９より７個となり、塗布領域Ｘ１およびＸ３の休止パルスの数は、式１１より６０００個となる。一方、塗布領域Ｘ２の吐出パルスの数は、式９より２７個となり、塗布領域Ｘ２の休止パルスの数は、式１１より４０００個となる。
このようにして求めた各パルス数を各塗布領域の長さにわたって振り分け、塗布パターンに設定する。
【産業上の利用可能性】
【００７７】
本発明は、吐出された液体材料が、塗布対象物に接触する前にノズルから離間するタイプの吐出装置を用いた塗布に応用可能である。当該吐出装置としては、例えば、弁座に弁体を衝突させて液体材料をノズル先端より飛翔吐出させるジェット式、プランジャタイプのプランジャを移動させ、次いで急激に呈しして、同じくノズル先端より飛翔吐出させるプランジャジェット式、連続噴射方式あるいはオンデマンド方式のインクジェット式などである。
なお、本発明を半導体パッケージングのアンダーフィル工程に利用できることは言うまでもない。
【符号の説明】
【００７８】
１：吐出装置  ２：ピストン  ３：貯留容器  ４：ノズル  ５：ノズル入口  ６：切換弁  ７：スプリング  ８：ストローク調整手段  ９：ヒータ  １０：温度センサ  １１：制御部  １２：気体配管  １３：電気配線  １４：吐出パルス  １５：休止パルス  １６：塗布装置  １７：ＸＹＺ駆動機構  １８：搬送機構  １９：塗布ステージ  ２０：調整用基板  ２１：調整用ステージ  ２２：秤量器  ２３：タッチセンサ  ２４：レーザー変位計  ２５：カメラ  ２６：移動方向  ２７：搬入方向  ２８：搬出方向  ２９：基板  ３０：ワーク（半導体チップ）  ３１：突起状電極（バンプ）  ３２：電極パッド  ３３：接続部  ３４：樹脂、液体材料  ３５：隅肉部分、フィレット  ３６：フィレット幅  ３７：フィレット高さ  ３８：塗布方向
【図１】
0005779353.tif 000013
【図２】
0005779353.tif 000014
【図３】
0005779353.tif 000015
【図４】
0005779353.tif 000016
【図５】
0005779353.tif 000017
【図６】
0005779353.tif 000018
【図７】
0005779353.tif 000019
【図８】
0005779353.tif 000020